(57)【要約】  USBデータ-オーディオ信号の多重伝送回線であって、両端のUSB接続器、オーディオ接続器及びプレーデバイスと外部の他のデータ記憶或は処理デバイスとを接続してデータを交換し或いはオーディオ信号を出力するための伝送ケーブルが含まれて、当該オーディオ接続器に設置されているオーディオ接続プラグは、電気的に独立する四段に分かり、順序的には二つのオーディオ信号接続端、オーディオ接地端、制御信号接続端であり；オーディオ接続プラグの二つのオーディオ信号接続端は、夫々USB接続プラグの二つのデータ信号接続端と接続し、オーディオ接続プラグの接地端は、USB接続プラグの接地端と接続し、オーディオ接続プラグの制御信号端は、USB接続プラグの電源端を接続する。本発明は、USB接続部とオーディオ接続部を設置して、異なるインーフェースデバイス間の接続を実現でき；USBプラグは、回転、伸縮、転覆等のUSBプラグを隠す構造の多種形式を採用して、それを保護することができ、構造が簡単で、使用も便利である。
2008536226.tif 000002
【特許請求の範囲】
【請求項１】
両端における接続器、及びプレーデバイスと外部の他のデータ記憶或いは処理デバイスを接続し且つデータを交換し或いはオーディオ信号を出力するための伝送ケーブルからなるUSBデータ-オーディオ信号の多重伝送回線であって、
その両端における接続器は、夫々USB接続器とオーディオ接続器であり、当該USB接続器には、接続器本体と本体に設置されたUSB接続プラグが含まれ、当該オーディオ接続器に設置されたオーディオ接続プラグは、電気的に独立して四段に分かれ、順番的には二つのオーディオ信号接続端、オーディオ接地端、制御信号接続端であり；オーディオ接続プラグにおける二つのオーディオ信号接続端は、夫々USB接続プラグにおける二つのデータ信号接続端と接続され、オーディオ接続プラグの接地端は、USB接続プラグの接地端と接続され、オーディオ接続プラグの制御信号端は、USB接続プラグの電源端と接続される、ことを特徴とするUSBデータ-オーディオ信号の多重伝送回線。
【請求項２】
上記USB接続器本体には、ハウジングと回転体が含まれ、回転体の端部には、USB接続プラグが設置され、ハウジングは、回転体の外部に覆って設置され、且つ末端に貫通孔が開設され、伝送ケーブルは、当該貫通孔に貫通設置され、回転体は、ハウジングの先端に枢着され、且つ枢着点を中心として回転し、ハウジングの両側面は、回転体が回転して通過するための開口である、ことを特徴とする請求項1に記載のUSBデータ-オーディオ信号の多重伝送回線。
【請求項３】
上記USB接続器本体には、ハウジングと伸縮体が含まれ、伸縮体の端部にはUSB接続プラグが設置されており、ハウジングは、伸縮体の外部に覆って設置され、且つ末端に貫通孔が開設され、伝送ケーブルは、当該貫通孔に貫通設置され、ハウジングは、伸縮体の外部に覆って設置され、伸縮体の上表面に突起部が設けられ、ハウジングの上表面にスライド面が開設され、当該突起部は、スライド面内に嵌め込んで、当該スライド面に沿って滑動して、伸縮体がハウジング内で伸縮するように駆動する、ことを特徴とする請求項1に記載のUSBデータ-オーディオ信号の多重伝送回線。
【請求項４】
上記USB接続器本体には、結合体と転覆体が含まれて、結合体の一端は転覆体と枢着し、他の一端は伝送ケーブルと接続し、転覆体の非枢着端には、シート状USB接続プラグが設けられており、結合体の上表面に開溝が設けられており、その形状、寸法は、転覆体と対応する、ことを特徴とする請求項1に記載のUSBデータ-オーディオ信号の多重伝送回線。
【請求項５】
上記結合体内に、更にオーディオインターフェースが開設されている、ことを特徴とする請求項４に記載のUSBデータ-オーディオ信号の多重伝送回線。
【請求項６】
上記USB接続器には、プリント配線板及び一体に設置されたUSBインターフェース接続板が含まれて、プリント配線板は、接続器本体の内部に設置され、USBインターフェース接続板は、接続器本体に突出して設置され、且つ接続器本体から突出して伸ばした底殻と一緒にシート状USB接続プラグを形成し、接続板に金属端子組が設けられて、当該金属端子組は、複数のUSBソケット内部の電子信号と接続するための金属シートからなり、当該金属シートはプリント配線板と接続して回路を形成し；上記USB接続プラグの底殻両側面に、フランジの保護フレームが上を向けて突出設置され；USBインターフェース接続板は、底殻に嵌め込んでおり、且つ金属端子組が付いている一面は、上を向けて露出面であり；当該シート状USB接続プラグの寸法は、USBケーブルのソケット内部空間の寸法と同じである、ことを特徴とする請求項1、2、3又は4に記載のUSBデータ-オーディオ信号の多重伝送回線。
【請求項７】
上記金属シートの設置範囲は、突出して伸ばしたUSBインターフェースの接続板の長さと同じで、且つ金属シートの長さは、USBソケット内における電気的接続の接触シートの長さと同じ或いはこれより大きい、ことを特徴とする請求項6に記載のUSBデータ-オーディオ信号の多重伝送回線。
【請求項８】
上記USBインターフェースの接続板の上表面に四つの金属シートが設置されて、USB接続部内における電源ケーブルと、二つのデータケーブルと接地ケーブルと順番的に接続され；下表面には二つの金属シートが設置されて、上表面の仲間に位置している二つの金属シートと連通し、且つ二つのオーディオ信号ケーブルと接続され；上記保護フレームは、USBインターフェース接続板の両側エッジに対応的に設置され、板の上、下表面は、何れも露出面である、ことを特徴とする請求項6に記載のUSBデータ-オーディオ信号の多重伝送回線。
【請求項９】
上記金属端子組は、二組であり、その中の一組は、四つの金属シートであり、USB接続部内における電源ケーブルと、二つのデータケーブルと接地ケーブルと順番的に接続され；他の一組は、二つの金属シートであり、オーディオ接続部における二つのオーディオ信号ケーブルと接続される、ことを特徴とする請求項6に記載のUSBデータ-オーディオ信号の多重伝送回線。
【請求項１０】
上記USB接続プラグは、プラグ型或いはソケット型である、ことを特徴とする請求項1、2、3又は4に記載のUSBデータ-オーディオ信号の多重伝送回線。
【請求項１１】
上記USB接続プラグは、大きいプラグ或いは小さい小プラグである、こと特徴とする請求項1、2、3又は4に記載のUSBデータ-オーディオ信号の多重伝送回線。
【請求項１２】
上記オーディオ接続器は、オーディオプラグ或いはオーディオソケットである、ことを特徴とする請求項1、2、3又は4に記載のUSBデータ-オーディオ信号の多重伝送回線。
【発明の詳細な説明】
【技術分野】
【０００１】
本発明は、多重伝送回線に関し、特に、USBデータ-オーディオ信号の多重伝送回線に関する。
【背景技術】
【０００２】
電子技術の絶えまない発展に従って、消費型電子製品は、例えば、MP3、DV、PDA、携帯電話、ゲームデバイス等のいろいろな電子デバイスが、広く範囲で利用されており、それらのデバイスは、他のデータソースからデータをダウンロードすることができ、それに記憶されているデータを他のメモリに記憶することもできる、例えば、コンピュータに伝送して記憶する。データを伝送する時、専門的なインターフェースが他のデータソース或いはメモリと接続される必要があり、現在、汎用のインターフェースとしては、USBインターフェースである。オーディオデータをプレーしようとする時、オーディオ・インターフェースにより、オーディオ出力デバイスを、上記デバイスと接続させる必要があり、上記ビデオ・オーディオ・プレー・デバイスにおけるオーディオ・データは、オーディオ出力デバイスによりプレーでき、オーディオ出力デバイスは、イヤホン、サウンド・ボックス或いはプレー機能を備える他のデバイスである。従って、データの伝送及びオーディオの出力を実現するためには、既存の各種電子デバイスに、USBインターフェースとオーディオ・インターフェースを同時に設置しなければならず、それと同時に、異なるインターフェースを備えるデバイスをお互いに接続する時、異なるインターフェースが付いている変換ケーブルが必要になる。ユーザーは、必要に応じて、接続により、自分の持っている小型電子デバイスと他の小型携帯電子デバイス或いは固定電子デバイス間で対応するデータ或いは情報を相互伝送することを実現する時、異なる電子デバイス間の情報の相互通信は、専門的なインターフェースと接続線が必要になり、異なる機能の伝送回線を選択する必要があり、ユーザーに多くの使用不便を招いた。それと同時に、既存のUSBプラグは、標準的なプラグであるが、他のデバイスと配合して使われる時、その選択範囲が小さいという問題があり、且つ、既存のUSBプラグは、暴露されて設計されたものが多く、放置及び使用過程において、汚染及び損害を起こし易い。
【発明の開示】
【０００３】
本発明は、従来技術の不足に鑑みて、USBデータ-オーディオ信号の多重伝送回線を提供することにその目的があり、当該多重伝送回線の両端には、夫々USB接続部とオーディオ接続部が設けられて、USBインターフェースを通じて、データ信号を伝送することもでき、オーディオ・入力/出力・インターフェースを通じて、オーディオ信号を伝送することもできて、異なるインターフェースのデバイス間の接続を実現した。
【０００４】
本発明の他の目的は、従来技術の不足に鑑みて、USBデータ-オーディオ信号の多重伝送回線を提供し、当該多重伝送回線のUSBプラグは、回転、伸縮、転覆等のUSBプラグを隠す構造の多種形式を採用して、それを保護することができ、構造が簡単で、使用も便利である。
【０００５】
上記目的を実現するために、本発明は、USBデータ-オーディオ信号の多重伝送回線を提供し、それは、両端における接続器、及びプレーデバイスと外部の他のデータ記憶或は処理デバイスとを接続してデータを交換し或はオーディオ信号を出力するための伝送ケーブルからなり、その両端における接続器は、夫々USB接続器とオーディオ接続器であり、当該USB接続器には、接続器本体と、本体に設置されているシート状USB接続プラグが含まれ、当該オーディオ接続器に設置されているオーディオ接続プラグは、電気的に独立する四段に分かれ、順序的には二つのオーディオ信号接続端、オーディオ接地端、制御信号接続端であり；オーディオ接続プラグの二つのオーディオ信号接続端は、夫々シート状USB接続プラグの二つのデータ信号接続端と接続し、オーディオ接続プラグの接地端は、シート状USB接続プラグの接地端と接続し、オーディオ接続プラグの制御信号端は、USB接続プラグの電源端を接続する。
【０００６】
上記USB接続器の本体には、ハウジングと回転体が含まれることができ、回転体の端部にシート状USB接続プラグが設置されており、ハウジングは、回転体の外部に覆って設置され、且つ末端に貫通孔が開設され、伝送ケーブルは、当該貫通孔に貫通設置され、回転体は、ハウジングの先端に枢着され、且つ枢着点を中心として回転し、ハウジングの両側面は、回転体が回転して通過するための開口である。
【０００７】
上記USB接続器の本体には、ハウジングと伸縮体が含まれることができ、伸縮体の端部にシート状USB接続プラグが設置されており、ハウジングは、伸縮体の外部に覆って設置され、且つ末端に貫通孔が開設され、伝送ケーブルは、当該貫通孔に貫通設置され、ハウジングは、伸縮体の外部に覆って設置され、伸縮体の上表面に突起部が設けられ、ハウジングの上表面にスライド面が開設され、当該突起部は、スライド面内に嵌め込んで、当該スライド面に沿って滑動して、伸縮体がハウジング内で伸縮するように駆動する。
【０００８】
上記USB接続器の本体には、結合体と転覆体が含まれて、結合体の一端は転覆体と枢着し、他の一端は伝送ケーブルと接続し、転覆体の非枢着端には、シート状USB接続プラグが設けられており、結合体の上表面に開溝が設けられており、その形状、寸法は、転覆体と対応するようにすることもできる。
【０００９】
多重化を便利化するために、結合体内に、更にオーディオ・インターフェースが開設されている。
【００１０】
USB接続器には、プリント配線板及び一体に設置されたUSBインターフェースの接続板が含まれて、プリント配線板は、接続器本体の内部に設置され、USBインターフェースの接続板は、接続器本体に突出設置され、且つ接続器本体から突出して伸ばした底殻と一緒にシート状USB接続プラグを形成し、接続板に金属端子組が設けられて、当該金属端子組は、複数のUSBソケット内部の電子信号と接続するための金属シートからなり、当該金属シートはプリント配線板と接続して回路を形成し；上記USB接続プラグの底殻両側面に、フランジの保護フレームが上を向かって突出設置され；USBインターフェースの接続板は、底殻に嵌め込んでおり、且つ金属端子組が付いている一面は、上を向かって露出面であり；当該シート状USB接続プラグの寸法は、USBケーブルのソケット内部空間の寸法と同じである。
【００１１】
金属端子組中の金属シートの設置範囲は、突出して伸ばしたUSBインターフェースの接続板の長さと同じで、且つ金属シートの長さは、USBソケット内における電気的接続の接触シートの長さと同じ或いはこれより大きいである。
【００１２】
上記USBインターフェースの接続板の上表面に四つの金属シートが設置されて、USB接続部内における電源ケーブルと、二つのデータケーブルと接地ケーブルと順番的に接続され；下表面には二つの金属シートが設置されて、上表面の仲間に位置している二つの金属シートと連通し、且つ二つのオーディオ信号ケーブルと接続され；上記保護フレームは、USBインターフェースの接続板の両側エッジに対応的に設置され、板の上、下表面は、何れも露出面である。
【００１３】
USBインターフェースの接続板に設置された金属端子組は、二組であり、その中の一組は、四つの金属シートであり、USB接続部内における電源ケーブルと、二つのデータケーブルと接地ケーブルと順番的に接続され；他の一組は、二つの金属シートで、オーディオ接続部における二つのオーディオ信号ケーブルと接続される。
【００１４】
便利に使用できるために、シート状USB接続プラグは、プラグ型或いはソケット型であってもかまわない；当該シート状USB接続プラグは、大きいプラグ或いは小さいプラグである。上記オーディオ接続器は、オーディオプラグ或いはオーディオソケットである。
【００１５】
上記から分かるように、本発明は、USBデータ-オーディオ信号の多重伝送回線を提供し、当該多重伝送回線の両端には、夫々USB接続部とオーディオ接続部が設置されて、USBインターフェースを通じてデータ信号を伝送することもでき、オーディオ入力/出力インターフェースを通じてオーディオ信号を伝送することもでき、異なるインターフェースデバイス間の接続を実現した。それと同時に、本発明に係る多重伝送回線のUSBプラグは、回転、伸縮、転覆等のUSBプラグを隠す構造の多種形式を採用して、それを保護することができ、構造が簡単で、使用も便利である。
【００１６】
以下、図面及び具体的な実施例を結合して本発明に対して、詳しく説明する。
【発明を実施するための最良の形態】
【００１７】
実施例１
図1に示したように、本発明に係る実施例１の構造を示す図面である。図1から分かるように、本発明は、USBデータ-オーディオ信号の多重伝送回線Aであり、両端の接続器、及びプレーデバイスと外部の他のデータ記憶或いは処理デバイスを接続し、且つデータを交換し或いはオーディオ信号を出力するための伝送ケーブル3からなり、その両端の接続器は、夫々USB接続器1とオーディオ接続器2であり、当該USB接続器1には、接続器本体11と本体に設置されたUSB接続プラグ12が含まれて、当該オーディオ接続器に設置されているオーディオ接続プラグは、電気的に独立した四段に分かれ、順番的には二つのオーディオ信号接続端、オーディオ接地端、制御信号接続端であり；オーディオ接続プラグにおける二つのオーディオ信号接続端は、夫々シート状USB接続プラグにおける二つのデータ信号接続端と接続され、オーディオ接続プラグにおける接地端は、シート状USB接続プラグにおける接地端と接続され、オーディオ接続プラグにおける制御信号端は、USB接続プラグにおける電源端と接続される。
【００１８】
実施例２
図2、図3及び図4に示したように、夫々本発明に係る実施例２の三種類の状態の構造を示す図面である。図2から分かるように、本実施例においてUSBデータ-オーディオ信号の多重伝送回線Bを提供し、その中に、USB接続器本体11にはハウジング111と回転体112が含まれて、回転体112の端部にUSB接続プラグ12が設置され、ハウジング111は、回転体112の外部に覆って設置され、且つ末端に貫通孔が開設され、伝送ケーブル3は、当該貫通孔に貫通設置され、回転体112は、ハウジング111の先端に枢着され、且つ枢着点113を中心にして回転し、ハウジング111の両側面は、回転体112が回転して通過するための開口である。図3、図4を結合すると分かるように、夫々、当該伝送回線Bが使用状態及び非使用状態にある時、回転体112とハウジング111間の位置関係を示した。図3に示したように、USB接続プラグ12を使用しようとする時、回転体112を、枢着点113を中心に回転させて、USB接続プラグ12がハウジング111から露出するようにし、使用が終わってから、同じように回転体112を回転して、USB接続プラグ12をハウジング111の中に隠す。
【００１９】
実施例３
図5、図6に示したように、夫々本発明に係る実施例３の二種状態の構造を示す図面である。図5から分かるように、本実施例において、USBデータ-オーディオ信号の多重伝送回線Cを提供し、その中、USB接続器本体11には、更にハウジング111と伸縮体212が含まれて、伸縮体212の端部にUSB接続プラグ12が設置されており、ハウジング111は、伸縮体212の外部に覆って設置され、且つ末端に貫通孔が開設され、伝送ケーブル3は、当該貫通孔に貫通設置され、ハウジング111は、伸縮体212の外部に覆って設置され、伸縮体212の上表面に突起部213が設置されており、ハウジングの上表面にスライド面214が開設され、当該突起部213は、スライド面214内に嵌め込んで、当該スライド面214に沿って滑動して、ハウジング111内で伸縮するように伸縮体212を駆動する。図6を結合すると分かるように、USB接続プラグ12を使用しない場合、突起部213は、スライド面214に沿って滑動して、USB接続プラグ12をハウジング111の中に取り戻させて、隠すようにする。
【００２０】
実施例４
図7、図8に示したように、本発明に係る実施例４の構造を示す図面である。図7から分かるように、上記USB接続器本体11には、結合体114と転覆体115が含まれて、結合体114の一端は、転覆体115の他の一端と枢着して、伝送ケーブル3と接続し、転覆体115の非枢着端には、シート状USB接続プラグ13が設置され、結合体114の上表面に開溝が設けられ、その形状、寸法は、転覆体115と対応する。多重化を便利にするために、結合体114内で、オーディオインターフェース100を更に開設することができる。図8に示したように、転覆体115は、結合体114で転覆することができて、シート状USBプラグ13が展開或いは取り戻すようにする。
【００２１】
実施例５
図9に示したように、本発明の実施例５に係る構造を示す図面である。図9から分かるように、USB接続器1には、プリント配線板及び一体化に設置されたUSBインターフェース接続板10が含まれ、プリント配線板は、接続器本体の内部に設置され、USBインターフェース接続板は、接続器本体に突出設置され、且つ接続器本体から突出して伸ばした底殻と一緒にシート状USB接続プラグ13を形成し、その構造は、図9に示したようである。接続板には金属端子組131が設けられて、当該金属端子組131は、複数のUSBソケット内部の電子信号と接続するための金属シート132からなり、当該金属シート132はプリント配線板と接続して回路を形成し；シート状USB接続プラグ13の底殻両側面に、フランジの保護フレーム133が上を向けて突出設置され；USBインターフェース接続板は、底殻に嵌め込んでおり、且つ金属端子組131が付いている一面は、上を向けて露出面であり；当該シート状USB接続プラグ13の寸法は、USBケーブルのソケット内部空間の寸法と同じである。
【００２２】
金属端子組131中の金属シート132の設置範囲は、突出して伸ばしたUSBインターフェース接続板の長さと同じで、且つ金属シート132の長さは、USBソケット内における電気的接続の接触シートの長さと同じ或いはこれより大きいである。
【００２３】
実施例６
図10に示したように、本発明の実施例６に係る構造を示す図面である。図10から分かるように、上記USBインターフェースの接続板10の上表面に四つの金属シート132が設置されて、USB接続部内における電源ケーブルと、二つのデータケーブルと接地ケーブルと順番的に接続され；下表面に二つの金属シート132が設置されて、上表面の仲間に位置している二つの金属シートと連通し、且つ二つのオーディオ信号ケーブルと接続され；実施例５に係る上記フランジの保護フレーム133は、USBインターフェースの接続板の両側エッジに対応的に設置され、板の上、下表面は、何れも露出面である。
【００２４】
実施例７
図11に示したように、本発明の実施例７に係る構造を示す図面である。図11から分かるように、USBインターフェースの接続板10に設置された金属端子組131は、二組であり、その中の一組は、四つの金属シート132で、USB接続部内における電源ケーブルと、二つのデータケーブルと接地ケーブルと順番的に接続され；他の一組は、二つの金属シート132で、オーディオ接続部における二つのオーディオ信号ケーブルと接続される。
【００２５】
利便性のために、上記シート状USB接続プラグ13は、プラグ型或いはソケット型であってもかまわない；当該シート状USB接続プラグ13は、大きいプラグ或いは小さいプラグを採用することができる。オーディオ接続器2は、オーディオプラグ或いはオーディオソケットである。
【００２６】
応用実施例１
図12に示したように、本発明の応用実施例一に係る図面である。図12から分かるように、本発明により提供されたUSBデータ-オーディオ信号の多重伝送回線Aは、その両端におけるUSB接続器1とオーディオ接続器2を通じて、コンピュータと携帯電話を接続して、両方間のデータ伝送を実現する。
【００２７】
応用実施例２
図13に示したように、本発明の応用実施例２に係る図面である。図13から分かるように、本発明により提供されたUSBデータ-オーディオ信号の多重伝送回線Aは、夫々その両端におけるUSB接続器1とオーディオ接続器2を通じて、コンピュータとPDAを接続して、両方間のデータ伝送を実現する。
【００２８】
本発明はUSBデータ-オーディオ信号の多重伝送回線を提供し、当該多重伝送回線の両端には夫々USB接続部とオーディオ接続部が設置されて、USBインターフェースを通じてデータ信号を伝送することもでき、オーディオ入力/出力インターフェースを通じてオーディオ信号を伝送することもでき、異なるインターフェースデバイス間の接続を実現し、小型電子デバイスと他の小型携帯電子デバイス或いは固定電子デバイス間の接続を実現して、対応するデータ或いは情報を相互的に伝達させる。それと同時に、本発明により提供された多重伝送回線のUSBプラグは、回転、伸縮、転覆等のUSBプラグを隠す構造の多種形式を採用して、それを保護することができ、構造が簡単で、使用も便利である。
【００２９】
最後に説明すべきものは、上記実施例は本発明に係る技術を説明するだけのものであり、本発明に係る技術案を限定するものではない。上記具体的な実施形態を挙げて、本発明に対して説明したが、当業者であれば、本発明の技術形態に対して各種態様の修正或いは交替を行うことができ、本発明の技術形態を逸脱しない精神及び範囲は、本発明の技術的範囲に属することは明白である。
【図面の簡単な説明】
【００３０】
【図１】本発明の実施例１に係る構造を示す図である。
【図２】本発明の実施例２に係る状態一の構造を示す図である。
【図３】本発明の実施例２に係る状態二の構造を示す図である。
【図４】本発明の実施例２に係る状態三の構造を示す図である。
【図５】本発明の実施例３に係る状態一の構造を示す図である。
【図６】本発明の実施例３に係る状態二の構造を示す図である。
【図７】本発明の実施例４に係る構造を示す図である。
【図８】図7中のUSB接続器の一端を展開した図である。
【図９】本発明の実施例５に係るUSBプラグの構造を示す図である。
【図１０】本発明の実施例６に係るUSBプラグの構造を示す図である。
【図１１】本発明の実施例７に係るUSBプラグの構造を示す図である。
【図１２】本発明の応用実施例１に係る図である。
【図１３】本発明の応用実施例２に係る図である。
【図１】
2008536226.tif 000003
【図２】
2008536226.tif 000004
【図３】
2008536226.tif 000005
【図４】
2008536226.tif 000006
【図５】
2008536226.tif 000007
【図６】
2008536226.tif 000008
【図７】
2008536226.tif 000009
【図８】
2008536226.tif 000010
【図９】
2008536226.tif 000011
【図１０】
2008536226.tif 000012
【図１１】
2008536226.tif 000013
【図１２】
2008536226.tif 000014
【図１３】
2008536226.tif 000015
【国際調査報告】
2008536226.tif 000016
2008536226.tif 000017
2008536226.tif 000018
2008536226.tif 000019